(57)【要約】【課題】つば部分にＬＥＤを取り付けた帽子があるが、この帽子ではＬＥＤがひさしの上布に覆われて、帽子の後方、側方、からＬＥＤの光が見えにくい欠点があったので、帽子のあらゆる方向からその存在を確認できる帽子が求められていた。【解決手段】電池８、スイッチ９、制御機１０に接続した単数又は複数の電線５をつば腰２、クラウン３、天４から上方に伸び柔軟に屈曲する支持棒６に沿って伸ばし、その電線５の途中に単数または複数のＬＥＤ７を接続して点滅させれば、その光は上下、四方を照らすので、作業を容易にする。また、柔軟に屈曲する支持棒に取り付けられたＬＥＤの光は揺れ動くので、遠方からも帽子を被っている人を確認しやすくなる。また、複数のＬＥＤ７をスイッチ９、制御機１０により同色又は異なる色の光量増減、同時点滅、時間差点滅する構造にすれば、帽子の存在をより注目させる。【選択図】図１
2011106067.tif 000002
【特許請求の範囲】
【請求項１】
電池８、スイッチ９、制御機１０に接続した単数又は複数の電線５をつば１、腰２、クラウン３、天４から上方に伸び柔軟に屈曲する支持棒６に沿って伸ばし、その電線５の途中に単数または複数のＬＥＤ７を接続した帽子。
【請求項２】
電池８、スイッチ９、制御機１０に接続した単数又は複数の電線５をつば１、腰２、クラウン３、天４から上方に伸び他方のつば１、腰２、クラウン３に至る柔軟に屈曲する支持棒６に沿って伸ばし、その電線５の途中に単数または複数のＬＥＤ７を接続した帽子。
【請求項３】
電池８、スイッチ９、制御機１０に接続した単数又は複数の電線５をつば１、腰２、クラウン３、天４を覆う形態の支持棒６に沿って伸ばし、その電線５の途中に単数または複数のＬＥＤ７を接続した帽子。
【発明の詳細な説明】
【技術分野】
【０００１】
本発明は、つばがクラウンの周囲全面にあるハット、つばがクラウンの前面にあるキャップ、つばが無いハット（繊維を編み上げた帽子、ロシア帽を含む）、ヘルメット等（以下「帽子」という。）に関する。
【背景技術】
【０００２】
従来、発光ダイオード（以下「ＬＥＤ」という。）を取り付けた帽子としては、帽子のつば部分に取り付けたものであった。
【先行技術文献】
【特許文献】
【０００３】
【特許文献１】特許公開２００４−３４６４７０号公報
【特許文献２】登録実用新案第３００９４１５号公報
【特許文献３】登録実用新案第３０９０９７３号公報
【特許文献４】登録実用新案第３１４８６７４号公報
【発明の概要】
【発明が解決しようとする課題】
【０００４】
従来の帽子には、つば部分にＬＥＤを取り付けたものがあるが、ＬＥＤはつばの上布に覆われるので、ＬＥＤの光は帽子の前面や下部を照らすが、帽子の後方、側方、上方、遠方からは見えにくい欠点があった。
【０００５】
そのために、このような従来の技術により製造した帽子を被っていた場合には、帽子の後方、側方やより高い位置や遠方からは帽子のＬＥＤの光を確認し難く、夕方、夜間、その他の光量の少ない場所では、帽子をかぶっている人の存在を容易に確認し難く危険であった。この発明は、時間、場所に関係なく、光量の少ない場所においても帽子を被っている人が安全に活動できるように、その存在が容易に認識されるような帽子を提供して事故の絶滅を目的とするものである。
【課題を解決するための手段】
【０００６】
本発明は上記の課題を解決するために、電池、スイッチ、制御機に接続した単数又は複数の電線を帽子のつば、腰、クラウン、天から上方に伸び柔軟に屈曲する支持棒（樹脂製又は金属製のもの、及び中空パイプ状のものを含む。以下同じ。）に沿って伸ばし、その電線の途中に単数または複数のＬＥＤを接続する。上方に伸ばした支持棒及び電線は、帽子の上部で連結してもよい。支持棒に沿わせた電線は、帽子のつば、腰、クラウン、天を覆う形体でもよい。複数のＬＥＤは、スイッチ、制御機により同色又は異なる色の光量増減、同時点滅、時間差点滅させる構造にしてもよい。
電線の状態によっては、支持棒を省略してもよい。
【０００７】
ＬＥＤの電源としての電池には、使い切りの一次電池、充電可能な二次電池、太陽電池などを含み、またこれらの併用を含む。
【発明の効果】
【０００８】
本発明による効果は、ＬＥＤの光が帽子の前方、側方、後方及び帽子の上方、下方のいずれの方角も、くまなく照らすので、帽子を被っている人の作業を容易にし、作業の間違いを少なくする。また、ＬＥＤの光は遠方からもその大きな光量を容易に確認できる。更に柔軟に屈曲する支持棒に取り付けられたＬＥＤは揺れ動くので、帽子を被った人の存在をより注目させ、確認するのがより容易となり、それらの人の安全性を向上させる効果を発揮する。
【０００９】
複数のＬＥＤがスイッチ、制御機により同色又は異なる色の光量増減、同時点滅、時間差点滅する構造の帽子は、帽子の存在を注目させ、帽子を見る人の興味を引き、帽子を被っている人だけでなく、その帽子を見る人の遊び心も満足させる。
【図面の簡単な説明】
【００１０】
【図１】図１は、本発明を実施した帽子の斜視図である。（実施例１）
【発明を実施するための形態】
【００１１】
以下、本発明の実施の形態を図に基づいて説明する。
【実施例１】
【００１２】
電池８からの電流は、スイッチ９、制御機１０により制御され帽子のつば１、腰２、クラウン３、天４などから上方に伸びる支持棒６−１に沿って伸びる電線５に接続された単数又は複数のＬＥＤ７に流れ、ＬＥＤ７からの光は帽子の周辺をくまなく照らす。上方に伸ばした電線５を取り付けた支持棒６は、帽子の上部で６−２のように連結してもよい。帽子の周辺だけでなく上方にも取り付けたＬＥＤの光により帽子の周辺は、ＬＥＤ７の大きな光量にくまなく照らされてより明るくなり、帽子を被っている人の作業を容易にし、作業の間違いを少なくする。柔軟に屈曲する支持棒６に取り付けられたＬＥＤ７は揺れ動くので、帽子を被った人の存在確認をより容易にして、安全性がより増大する。また、帽子のＬＥＤ７は、スイッチ９と制御機１０により同色の又は異なる色の光量増減、同時点滅、時間差点滅により、帽子の存在を注目させ、帽子を見る人の興味を引き、帽子を被っている人だけでなく、その帽子を見る人の遊び心をも満足させる効果がある。
【００１３】
電線５を取り付けた支持棒６は、帽子のつば１、腰２、クラウン３、天４などの表面を覆うように伸ばす。その電線５に単数、又は複数のＬＥＤ７を取り付ける。電線の状況によっては支持棒６を省略してもよい。その効果は、上記実施例１の構造にした場合と同様である。
【産業上の利用可能性】
【００１４】
本発明を施した帽子のＬＥＤの光は、前方、側方、後方からだけでなく、上方、下方からも確認され、周囲をくまなく照らすので、作業を容易にし、作業の間違いをなくする。また、支持棒に取り付けられたＬＥＤの光は遠方からもその大きな光量を容易に確認でる、しかも柔軟に屈曲する支持棒に取り付けられたＬＥＤは揺れ動くので、帽子を被っている人の存在をより確認しやすくなり、帽子を被っている人の安全性を高める。また、帽子のＬＥＤ７は、スイッチ９と制御機１０により、同色の又は異なる色の光量増減、同時点滅、時間差点滅させれば、帽子の存在を注目させ、帽子を見る人の興味を引き、帽子を被っている人だけでなく、その帽子を見る人の遊び心をも満足させる効果がある。
【符号の説明】
【００１５】
１  つば
２  腰
３  クラウン
４  天
５  電線
６  支持棒
７  ＬＥＤ
８  電池
９  スイッチ
１０  制御機
【図１】
2011106067.tif 000003